(57)【要約】【課題】取り外した蓋体を載置固定するホルダーを有するケトルを提供する。【解決手段】上方が開口し、底部に加熱ヒータが配置された所定量の液体が収容されるケトル本体１１と、ケトル本体１１の開口を覆う着脱自在な蓋体２８と、ケトル本体１１が設置されるとともに、加熱ヒータに電力を供給する給電台６３とを有するケトル１０において、給電台６３の外周壁６８には、蓋体２８を載置固定するためのホルダー６９が設けられている。【選択図】      図１
2012147916.tif 000002
【特許請求の範囲】
【請求項１】
上方が開口し、底部に加熱ヒータが配置された所定量の液体が収容されるケトル本体と、
前記ケトル本体の前記開口を覆う着脱自在な蓋体と、
前記ケトル本体が設置されるとともに、前記加熱ヒータに電力を供給する給電台とを有するケトルにおいて、
前記給電台の外周壁には、前記蓋体を載置固定するためのホルダーが設けられていることを特徴とするケトル。
【請求項２】
前記ホルダーは、前記蓋体が載置固定される部分の中央部に窪みが形成され、前記窪みの周囲が所定高さの壁で囲まれている液体貯留部が形成されていることを特徴とする請求項１に記載のケトル。
【請求項３】
前記ホルダーは、前記貯留部に前記蓋体に設けられた液体が排出される開口と嵌合可能な大きさの突起が形成されていることを特徴とする請求項２に記載のケトル。
【請求項４】
前記ホルダーの前記突起は、中央部に切り欠け部が設けられていることを特徴とする請求項３に記載のケトル。
【請求項５】
前記ホルダーは、前記給電台の外周壁と一体に形成されていることを特徴とする請求項１〜４のいずれかに記載のケトル。
【請求項６】
前記ホルダーは、前記給電台の外周壁に着脱自在に設けられていることを特徴とする請求項１〜４のいずれかに記載のケトル。
【発明の詳細な説明】
【技術分野】
【０００１】
本発明は、ケトルに関し、詳しくはケトルが有する蓋体をケトル本体から取り外した際の置き場所を有するケトルに関する。
【背景技術】
【０００２】
ケトルは、持ち運びが簡単で手軽にお湯、コーヒーなどを沸かすことができるものとして広く普及されている。例えば、ケトルの構成は、所定量の水などを入れて加熱する電熱部を有するケトル本体と、このケトル本体の電熱部へ電力を供給する外部電源コードが接続された給電台とを有し、この給電台にケトル本体をセットして、電源スイッチをオンすることによって、湯などを沸かすことができるようになっている。
【０００３】
また、一部のケトルでは、蓋体が着脱自在に設けられており、洗浄等でケトルを手入れする際には、蓋体を取り外して邪魔にならない場所に置いておくことができるようになっている。例えば、下記特許文献１には湯沸かし器の蓋体に関する発明が記載されている。下記特許文献１に記載の湯沸かし器の蓋体は、ヒータにより湯沸かしを行う器体の上端の凹陥部にほぼ軸線方向に着脱できるようにプラグ嵌合されて湯沸かし域口部を上方から閉じる円盤型の本体を備え、この本体にその上面より内側で上方から操作またはおよび把持して器体に対し着脱する着脱部を持った湯沸かし器の蓋体であって、本体の外周まわりの周方向一部に、面状部、ライン状部、点状部の少なくとも１つを含んでほぼ同一平面に位置して、本体をその上面側および内面側への転倒および左右への転がりを防止して起立姿勢に定置できる定置部を形成している。
【０００４】
このようにすることで、下記特許文献１に記載の湯沸かし器の蓋体によれば、本体を起立姿勢に定置する定置部は、蓋体が左右に転がる方向には転がりを防止できる転がり防止幅ないしは間隔を必要以上に採れる上、起立姿勢からの内面側および上面側に転倒するのを防止するだけの転倒防止幅ないしは間隔を持って形成されているので、本体を起立姿勢に安定に定置することができるとされている。
【０００５】
また、下記特許文献１に記載の湯沸かし器の蓋体は、本体の内面側端部に装着されて器体の湯沸かし域口部に圧接してそれとの間をシールするシール部材を備え、このシール部材は、本体の内面側端部に装着された基部から、本体の内面の外周部の内側から同外周部に向け拡径しながら内側に延びた後縮径に転じて内側に向けさらに延びた横断面屈曲形状のシールリップを持ち、このシールリップで器体の湯沸かし域口部との間をシールするようにしている。
【０００６】
このようにすることで、下記特許文献１に記載の湯沸かし器の蓋体によれば、本体の内面側端部に装着されるシール部材は、器体の凹陥部にプラグ嵌合した最奥部で器体の湯沸し域口部に密に圧接してシールし、本体の内面から上面側への漏水を防止することができ、また、シール部材は、横断面屈曲形状のシールリップは、本体の内面の外周の内側から内側に延びて外周側に途中に屈曲部を持った横断面屈曲形状による内周側に向いた溝をなし、蓋体が起立姿勢に定置したとき内面を伝い落ちる結露水を受け止め貯めこむことができるとされている。
【先行技術文献】
【特許文献】
【０００７】
【特許文献１】特開２０１０−１５８３８０号公報（段落〔０００７〕、〔０００８〕、〔００１５〕、〔００１６〕）
【発明の概要】
【発明が解決しようとする課題】
【０００８】
一応、上記特許文献１に記載の湯沸かし器の蓋体では、起立姿勢に安定に定置させることができ、また、横断面屈曲形状のシール部材により、内面を伝い落ちる結露水を受け止め貯めこむことができる。
【０００９】
しかし、上記特許文献１に記載の湯沸かし器の蓋体では、起立姿勢で定置されていても、蓋体は床やテーブル等に直に置かれているため、衛生的に良くない面がある。また、蓋体は、ただ床やテーブル等に置かれているだけなので、テーブル等への振動や接触等により横転するおそれがあり、蓋体内に貯めていた結露水を零してしまうおそれがある。
【００１０】
本発明は、このような従来技術が抱える課題を解決するためになされたもので、本発明の目的は、ケトルの給電台にホルダーを設け、このホルダーに蓋体を載置固定できるようにすることで、蓋体が横転することを抑制することができ、また、このホルダーに液体を貯留させる液体貯留部を設けることで、蓋体から零れ落ちる水滴等で床やテーブル等が濡れることを抑制したケトルを提供することにある。
【課題を解決するための手段】
【００１１】
上記目的を達成するために、請求項１に記載のケトルは、上方が開口し、底部に加熱ヒータが配置された所定量の液体が収容されるケトル本体と、前記ケトル本体の前記開口を覆う着脱自在な蓋体と、前記ケトル本体が設置されるとともに、前記加熱ヒータに電力を供給する給電台とを有するケトルにおいて、前記給電台の外周壁には、前記蓋体を載置固定するためのホルダーが設けられていることを特徴とする。
【００１２】
請求項２の発明は、請求項１に記載のケトルにおいて、前記ホルダーは、前記蓋体が載置固定される部分の中央部に窪みが形成され、前記窪みの周囲が所定高さの壁で囲まれている液体貯留部が形成されていることを特徴とする。
【００１３】
また、請求項３に記載の発明は、請求項２に記載のケトルにおいて、前記ホルダーは、前記貯留部に前記蓋体に設けられた液体が排出される開口と嵌合可能な大きさの突起が形成されていることを特徴とする。
【００１４】
また、請求項４に記載の発明は、請求項３に記載のケトルにおいて、前記ホルダーの前記突起は、中央部に切り欠け部が設けられていることを特徴とする。
【００１５】
また、請求項５に記載の発明は、請求項１〜４のいずれかに記載の電気ケトルにおいて、前記ホルダーは、前記給電台の外周壁と一体に形成されていることを特徴とする。
【００１６】
また、請求項６に記載の発明は、請求項１〜４のいずれかに記載の電気ケトルにおいて、前記ホルダーは、前記給電台の外周壁に着脱自在に設けられていることを特徴とする。
【発明の効果】
【００１７】
本発明は、上記構成を備えることにより、以下の優れた効果を奏する。すなわち、請求項１の発明によれば、ケトルの手入れ等でケトル本体から取り外した蓋体を給電台に設けられたホルダーに載置固定することができるので、蓋体を直接床やテーブル等に置かなくても済むようになり、蓋体に付着した水滴等で床やテーブル等が濡れることを抑制することができる。また、取り外した蓋体を給電台と一体にして配置しておくことができるので、蓋体の置き場所に困ることがなくなる。さらに、蓋体を直に床やテーブル等に置かないですむため、衛生的である。
【００１８】
また、請求項２の発明によれば、蓋体がホルダーに載置固定されたとき、蓋体に付着した液体を、ホルダーに形成された液体貯留部内に溜めておくことができるので、床やテーブル等へ液体が漏れることが抑制され、床やテーブル等が濡れることを抑制することができる。
【００１９】
また、請求項３の発明によれば、貯留部に形成された突起に蓋体の開口を嵌合させることで蓋体をホルダーに安定して載置固定することができ、蓋体が転倒したりすること等を抑制でき、蓋体の破損や故障を抑制することができるとともに、床等が濡れることを抑制することができる。
【００２０】
また、請求項４の発明によれば、蓋体の開口が嵌合される突起は、中央部に切り欠けが形成されることで両端に柱状の突起が形成されたものとなり、この柱状の突起により蓋体の注ぎ口の両側面を支えることができるので、突起の中央部に切り欠けを設けた分、使用する材料を抑えることができ、生産コストを抑えることができるようになる。
【００２１】
また、請求項５の発明によれば、部品点数を増やすことなく給電台にホルダーを設けることができる。
【００２２】
また、請求項６の発明によれば、第６の態様のケトルによれば、ホルダーを取り外して、洗浄等を容易に行うことが可能となる。
【図面の簡単な説明】
【００２３】
【図１】本発明の実施形態１に係るケトルの後方斜視図である。
【図２】図２Ａは図１のケトルの蓋体をホルダーに載置固定した状態を示した後方斜視図であり、図２Ｂは図２Ａのケトルの正面斜視図である。
【図３】図１のIII−III線での断面図である。
【図４】図４Ａは蓋体の正面斜視図であり、図４Ｂは蓋体の後方斜視図である。
【図５】図５Ａは実施形態１の給電台の斜視図であり、図５Ｂは図５ＡのＶＢ−ＶＢ線での断面図である。
【図６】図６Ａは実施形態２の給電台の斜視図であり、図６Ｂは図６ＡのVIＢ−VIＢ線での断面図である。
【図７】図７Ａは実施形態２の給電台のホルダーを外した状態の斜視図であり、図７Ｂは図７ＡのVIIＢ−VIIＢ線での断面図である。
【発明を実施するための形態】
【００２４】
以下、図面を参照して本発明の最良の実施形態を説明する。但し、以下に示す実施形態は、本発明の技術思想を具体化するためのケトルを例示するものであって、本発明をこのケトルに特定することを意図するものではなく、特許請求の範囲に含まれるその他の実施形態のものも等しく適応し得るものである。
［実施形態１］
図１〜５を参照して、本発明の実施形態１に係るケトルを説明する。ケトル１０は、図１〜図３に示すように、上方が開口し底部に加熱手段としての加熱ヒータ１７が配置され、所定量の水などの液体が収容されるケトル本体１１と、このケトル本体１１が載置され、ケトル本体１１の加熱ヒータ１７に給電する給電台６３と、ケトル本体１１の上部開口１２を覆う着脱自在な蓋体２８と、ケトル本体１１の側壁部に使用者が把持可能な取っ手部２３とを設けた構成となっている。また、実施形態１のケトル１０の給電台６３の外周壁６８には、給電台６３と一体に形成されたホルダー６９が設けられている。
【００２５】
図１〜図３に示すように、ケトル本体１１は、上部開口１２及び下部開口１３有し、所定の直径で形成された筒状体のフレーム１４と、このフレーム１４の外周側壁１５面に外方へ突出し、把持可能な例えば「コの字」型の取っ手部２３とを備え、耐熱性を有する樹脂成型体で形成されている。このケトル本体１１は、上部開口１２側には蓋体２８が着脱自在に装着され、下部開口１３側には中央が開口された底蓋１６により閉塞されている。この底蓋１６には加熱ヒータ１７が本体側給電器１８とともに装着され、加熱ヒータ１７上には液体が収容される容器１９が設置されている。この容器１９は、蓋体２８が装着されることにより、液密になるように形成されている。
【００２６】
ケトル本体１１には、上部開口１２近傍の内壁にあって、取っ手部２３が形成されている部分に取っ手部２３に内蔵された蒸気センサ２４に通じる蒸気導通口２１が形成されている。この取っ手部２３は、ケトル本体１１と一体に形成された取っ手部材２７と、この取っ手部材２７を覆う取っ手カバー２５とで構成され、取っ手部２３内は中空に形成されている。そして、この中空部内に、蒸気センサ２４の検出値を入力して加熱ヒータ１７を制御する不図示の制御手段が収納されており、蒸気センサ２４と制御手段とは、図示しないリード線で接続されている。また、この取っ手部２３には、取っ手カバー２５の外側に加熱ヒータ１７への通電をオン・オフする電源スイッチ２６が配設されている。
【００２７】
さらに、取っ手部２３は、蒸気センサ２４からの検出値を入力して加熱ヒータ１７を制御する制御手段（図示省略）が収容されている。この制御手段は、マイクロコンピュータ及びメモリなどを有し、メモリには、蒸気温度が所定値になったときに、加熱ヒータ１７への通電を停止させる基準値（例えば８５℃）が記憶されている。このように基準値を設定しておくことにより、制御手段は、検知された蒸気温度が基準値に達したときに、加熱ヒータ１７への加熱を停止させる制御を行うので、液体を所望の温度（例えば沸騰温度）に加熱することができ、また、液体が沸騰し続けることを抑制することができる。
【００２８】
図３及び図４に示すように、蓋体２８は、中板２９と、この中板２９の周囲の上下方向にそれぞれ延在された所定高さを有する外周壁３０と、外周壁３０の上方に装着される上蓋３１と、外周壁３０の下方に装着される複数個の孔が形成された内蓋３２とで形成されている。外周壁３０には、ケトル本体１１の容器１９内の液体を注ぎ口２０へと注水するための開口３３と、この開口３３の反対側に、ケトル本体１１内で発生した蒸気を取っ手部２３内の蒸気センサ２４に導くための蒸気導通路３６が形成されている。この蒸気導通路３６には、蒸気パッキン３４が装着されている。上蓋３１には、蒸気口３５、開閉機構５３のスイッチ５４、着脱機構４８の一対のつまみ部材３７ａ、３７ｂ、及びケトル本体１１に形成された注ぎ口２０を覆う開閉自在の注口蓋３８が形成されている。
【００２９】
また、中板２９と上蓋３１との間には着脱機構４８が収容される空間が形成されている。さらに、中板２９と外周壁３０との間には、容器１９内で発生した蒸気の通り道となる蒸気弁室３９が形成され、この蒸気弁室３９と中板２９との間に、上蓋３１に形成された蒸気口３５及び、蒸気センサ２４に連通する蒸気通路４０が形成されている。また、蒸気弁室３９に隣接する蒸気通路４０内には結露した液体を溜めておく液溜め部４１が形成され、この液溜め部４１には、溜まった液体を容器１９内に戻す戻し弁４２が形成されている。この戻し弁４２は、液体を注ぐときに容器内が負圧になることで開放され、液溜め部４１に溜まった液体を容器１９内に戻すことができる。
【００３０】
また、蒸気弁室３９には液漏れ抑止機構４３が設けられている。この液漏れ抑止機構４３は、ケトル本体１１が転倒等したときに蒸気通路４０を閉じるように構成されている。この蒸気弁室３９には、蒸気弁室３９内に収容された開閉手段となるおもり４４と、蒸気弁室３９の出口部分におもり４４の上面よりやや小さめの蒸気弁口４５により形成されている。液漏れ抑止機構４３は、おもり４４の載置される表面がすり鉢状とされた載置部４６と、底部を載置部４６のすり鉢状の表面に嵌り合うように形成されたおもり４４と載置部４６との隙間に形成される隙間通路４７とで構成されている。
【００３１】
このように形成することで、液漏れ抑止機構４３は、ケトル本体１１が転倒等して傾いたとき、おもり４４が載置部４６の表面のすり鉢状の傾斜に沿って移動して蒸気弁口４５を閉じ、液体が蒸気通路４０を通じ外部に流出するのを抑制することができる。
【００３２】
また、着脱機構４８は、蓋体２８の開閉機構５３と蒸気口３５との間に設けてある。蓋体２８の着脱機構４８は、蓋体２８の上面に設けられた左右一対のつまみ部材３７ａ、３７ｂ間に働かせたばね５０によって各つまみ部材３７ａ、３７ｂのそれぞれの係止片５１ａ、５１ｂが蓋体２８の外周壁３０に設けられた左右一対の開孔５２ａ、５２ｂから常時突出するようにしてある。これに対応するように、ケトル本体１１の肩部に形成される左右一対の係合溝２２ａ、２２ｂに蓋体２８の係止片５１ａ、５１ｂが係合するように形成されている。
【００３３】
開閉機構５３は、蓋体２８の注口蓋３８と着脱機構４８の間に形成されている。開閉機構５３は、いわゆるノック機構などといわれるもので、例えばボールペンの芯を突出した状態と格納した状態とに切り替えるために用いられている。すなわち、開閉機構５３のスイッチ５４を押すと、スイッチ５４に連動した軸部５５が、蓋体２８の中板２９の注水開口５６を閉塞している開閉部材５７が押されることで注水開口５６が開かれ、容器１９内の液体が注水可能な状態となり、そして、このノック機構により開状態が保たれることになる。なお、このとき、開閉部材５７と内蓋３２との間に配置された開閉ばね５８が押され弾性変形することとなる。一方、この開状態のとき再度スイッチ５４を押すと、ノック機構の係止が外れ開状態が保たれなくなり、開閉部材５７と内蓋３２の間に配置された開閉ばね５８の弾性力により、スイッチ５４が元の状態に戻るとともに、中板２９の注水開口５６が開閉部材５７により閉じられることとなる。
【００３４】
なお、蓋体２８の注口蓋３８は、開閉機構５３の動作に連動して開閉するように構成されている。すなわち、開閉機構５３のスイッチ５４が押圧されたとき、スイッチ５４の一部に形成された押圧部５９が、蓋体２８に配置された押圧部材６０を横方向に押し出し、押圧部材６０が注口蓋３８に形成された押圧片６１が押圧されることで、蓋体２８に注口蓋３８が接続されている支軸６２を中心として回動し、注口蓋３８を開くことができる。一方、開閉機構５３のスイッチ５４が再度押され、スイッチ５４が上昇すると、蓋体２８の押圧部材６０を横方向に押圧していたスイッチ５４の押圧部５９が外れることに伴い、注口蓋３８の自重により支軸６２を中心に回動し、注口蓋３８の押圧片６１が蓋体２８の押圧部材６０を押すことで、押圧部材６０は蓋体２８内に収容され、注口蓋３８が閉じられる。
【００３５】
図５を参照して、ケトル本体１１が載置される給電台６３について説明する。給電台６３は、図５に示すように、中央に開口６５を有し上面にケトル本体が設置される浅底の給電上台座６４と、給電上台座６４の下方を覆う給電下台座６６と、給電下台座６６に装着され、給電上台座６４の中央の開口６５から突出する給電器スタンド６７と、不図示の電気コネクタとで構成されている。給電上台座６４は、ケトル本体１１の直径と略同じ直径の略円形状に形成された底部と、この底部の周囲から立設した背低の側壁部とを有し上方が開口した浅底の容器からなり、樹脂成型体で形成されている。電気コネクタは給電台６３の略中心部に固定されている。この電気コネクタには、リード線が接続されて、このリード線の先端にプラグコネクタが接続されている。そして、給電台６３の給電器スタンド６７とケトル本体１１の本体側給電器１８とが電気的に接続され、通電されることで、ケトル本体１１の加熱ヒータ１７を加熱することができる。
【００３６】
また、給電台６３の外周壁６８にはホルダー６９が一体に形成されて設けられている。
【００３７】
このホルダー６９は、ケトル本体１１から取り外した蓋体２８を載置固定させるためのものであり、蓋体２８から零れ落ちる液体を貯留することができる中央に窪みを形成した液体貯留部７０と、この液体貯留部７０内に蓋体２８を載置固定するための支持突起７１が形成されている。また、液体貯留部７０の両側には、蓋体２８を安定して載置固定させるための蓋体支持部７２が設けられている。また、支持突起７１には、中央部に切れ込みが形成され両端に柱状の突起７３が設けられている。
【００３８】
そして、図２に示すように、ケトル本体１１から取り外された蓋体２８は、ホルダー６９の支持突起７１に、蓋体２８に形成された開口３３と嵌合されることで、蓋体２８はホルダーに載置固定される。このとき、ホルダー６９の蓋体支持部７２に蓋体２８の外周壁３０の一部が支持され、蓋体２８は安定して載置固定される。
【００３９】
このように、給電台６３にホルダー６９が設けられていることにより、ケトル本体から取り外した蓋体を給電台に設けられた液体貯留部が形成されたホルダーに載置固定することができるので、蓋体を直接床やテーブル等に置かなくても済むようになり、蓋体に付着した水滴等を、ホルダーに形成された液体貯留部内に溜めておくことができるので、で床やテーブル等が汚染されることを抑制することができる。また、取り外した蓋体を給電台と一体にして配置しておくことができるので、蓋体の置き場所に困ることがなくなる。さらに、蓋体を直に床やテーブル等に置くことがないため、衛生的である。
【００４０】
また、支持突起に蓋体の開口を嵌合させることで蓋体を安定して載置固定することができ、蓋体が転倒したりすること等を抑制でき、蓋体の破損や故障を抑制することができるとともに、床等が汚染されることを抑制することができる。また、支持突起を、中央部に切り欠けが形成されるようにすることで、突起の中央部に切り欠けを設けた分、使用する材料を抑えることができ、生産コストを抑えることができるようになる。また、給電台とホルダーを一体に形成することで、部品点数の増加を抑制することができる。
［実施形態２］
実施形態１のケトルでは、給電台に設けられたホルダーは、給電台と一体に形成された場合を説明したが、実施形態２のケトルでは、給電台に設けられるホルダーが着脱自在に形成されている場合を説明する。なお、実施形態２のケトルでは、実施形態１のケトルとはホルダーの構成が異なるのみなので、実施形態１のケトルと共通する構成には同一の符号を参照し、詳細な説明は省略する。
【００４１】
実施形態２に係るケトル１０Ａの給電台６３Ａに設けられたホルダー６９Ａは、図６及び図７に示すように、給電台と係止される側に係止部７４が形成され、この係止部７４に係止突起７５が形成されている。そして、この係止突起７５と給電台６３Ａに形成された係止溝部７６とが係合されることで、給電台６３Ａにホルダー６９Ａを着脱自在に設けたものとなっている。なお、実施形態２のホルダー６９Ａの構造は実施形態１のホルダー６９の構造と共通しており、蓋体２８から零れ落ちる液体を貯留することができる中央を窪ませた形状の液体貯留部７０Ａと、この液体貯留部７０Ａ内に形成された蓋体２８の開口と嵌合されることで蓋体２８を載置固定する支持突起７１Ａ、及び液体貯留部７０Ａの両側には、蓋体を支持した安定させるための蓋体支持部７２Ａが設けられている。また、ホルダー６９Ａの係止部７４は、給電台６３Ａと係合されたときに、給電台６３Ａとホルダー６９Ａの間に隙間ができないように、給電台６３Ａの形状に沿うように円弧状に形成されている。
【００４２】
このようにホルダーが給電台と着脱自在に形成されていることで、ホルダーが設けられることによる上記実施形態１の効果を奏するとともに、ホルダーを取り外して、洗浄等を容易に行うことが可能となり、より衛生的となる。
【符号の説明】
【００４３】
１０、１０Ａ…ケトル
１１…ケトル本体
１４…フレーム
１５…外周側壁
１６…底蓋
１７…加熱ヒータ
１８…本体側給電器
１９…容器
２０…注ぎ口
２１…蒸気導通口
２２ａ、２２ｂ…係合溝
２３…取っ手部
２８…蓋体
２９…中板
３０…外周壁
３１…上蓋
３２…内蓋
３３…開口
３８…注口蓋
６３、６３Ａ…給電台
６４…給電上台座
６５…開口
６６…給電下台座
６７…給電器スタンド
６８…外周壁
６９、６９Ａ…ホルダー
７０、７０Ａ…液体貯留部
７１、７１Ａ…支持突起
７２、７２Ａ…蓋体支持部
７３、７３Ａ…柱状の突起
７４…係止部
７５…係止突起
７６…係止溝部
【図１】
2012147916.tif 000003
【図２】
2012147916.tif 000004
【図３】
2012147916.tif 000005
【図４】
2012147916.tif 000006
【図５】
2012147916.tif 000007
【図６】
2012147916.tif 000008
【図７】
2012147916.tif 000009